(57)【要約】【課題】記録媒体の有無を検知する検知手段の誤検知を防止する。【解決手段】像保持体６０に保持された現像剤像を記録媒体Ｐに転写させる転写部材７２と、転写部材７２よりも記録媒体Ｐの搬送方向下流側に設けられ、像保持体６０上に残留した現像剤を除去する除去部材１０６と、除去部材１０６を支持するとともに除去された現像剤を貯留可能な底壁１０３を備えた筐体１０２と、底壁１０３に対向するとともに転写部材７２よりも記録媒体Ｐの搬送方向下流側の搬送路２８を搬送される記録媒体Ｐの有無を検知する反射式の検知手段９６と、検知手段９６から出射された光が当たる、底壁１０３の一部に形成され、転写部材７２の回転軸方向から見て、検知手段９６の光軸９６Ａとでなす角度のうち、記録媒体Ｐの搬送方向下流側における角度θが９０°を超えるように傾斜された傾斜面１０５Ａと、を有する画像形成装置１０とする。【選択図】図４
2012008336.tif 000002
【特許請求の範囲】
【請求項１】
回転駆動されるとともに現像剤像を保持する像保持体と、
前記像保持体と共に回転して記録媒体を搬送しつつ、前記像保持体に保持された現像剤像を前記記録媒体に転写させる転写部材と、
前記転写部材よりも記録媒体の搬送方向下流側に設けられ、前記像保持体上に残留した現像剤を除去する除去部材と、
前記除去部材を支持するとともに、除去された前記現像剤を貯留可能な底壁を備えた筐体と、
前記底壁に対向するとともに、前記転写部材よりも記録媒体の搬送方向下流側の搬送路を搬送される前記記録媒体の有無を検知する反射式の検知手段と、
前記転写部材よりも記録媒体の搬送方向下流側の搬送路を前記記録媒体が搬送されていないときに、前記検知手段から出射された光が当たる、前記底壁の一部に形成され、前記転写部材の回転軸方向から見て、前記検知手段の光軸とでなす角度のうち、記録媒体の搬送方向下流側における角度が９０°を超えるように傾斜された傾斜面と、
を有することを特徴とする画像形成装置。
【請求項２】
前記底壁は、前記像保持体の回転軸方向が長手方向とされ、前記傾斜面は、前記底壁の長手方向略中央部に形成されていることを特徴とする請求項１に記載の画像形成装置。
【請求項３】
前記転写部材に、該転写部材の表面を清掃する清掃部材の捲れを防止する潤滑剤を供給する供給手段を有することを特徴とする請求項１又は請求項２に記載の画像形成装置。
【発明の詳細な説明】
【技術分野】
【０００１】
本発明は、画像形成装置に関する。
【背景技術】
【０００２】
用紙のジャムを検知するジャム検知手段を備えた画像形成装置は、従来から知られている（例えば、特許文献１参照）。
【先行技術文献】
【特許文献】
【０００３】
【特許文献１】特開平５−３２３７０４号公報
【発明の概要】
【発明が解決しようとする課題】
【０００４】
本発明は、記録媒体の有無を検知する検知手段の誤検知を防止できる画像形成装置を得ることを目的とする。
【課題を解決するための手段】
【０００５】
上記の目的を達成するために、本発明に係る請求項１に記載の画像形成装置は、回転駆動されるとともに現像剤像を保持する像保持体と、前記像保持体と共に回転して記録媒体を搬送しつつ、前記像保持体に保持された現像剤像を前記記録媒体に転写させる転写部材と、前記転写部材よりも記録媒体の搬送方向下流側に設けられ、前記像保持体上に残留した現像剤を除去する除去部材と、前記除去部材を支持するとともに、除去された前記現像剤を貯留可能な底壁を備えた筐体と、前記底壁に対向するとともに、前記転写部材よりも記録媒体の搬送方向下流側の搬送路を搬送される前記記録媒体の有無を検知する反射式の検知手段と、前記転写部材よりも記録媒体の搬送方向下流側の搬送路を前記記録媒体が搬送されていないときに、前記検知手段から出射された光が当たる、前記底壁の一部に形成され、前記転写部材の回転軸方向から見て、前記検知手段の光軸とでなす角度のうち、記録媒体の搬送方向下流側における角度が９０°を超えるように傾斜された傾斜面と、を有することを特徴としている。
【０００６】
また、請求項２に記載の画像形成装置は、請求項１に記載の画像形成装置において、前記底壁は、前記像保持体の回転軸方向が長手方向とされ、前記傾斜面は、前記底壁の長手方向略中央部に形成されていることを特徴としている。
【０００７】
また、請求項３に記載の画像形成装置は、請求項１又は請求項２に記載の画像形成装置において、前記転写部材に、該転写部材の表面を清掃する清掃部材の捲れを防止する潤滑剤を供給する供給手段を有することを特徴としている。
【発明の効果】
【０００８】
請求項１に記載の発明によれば、底壁の一部に、検知手段の光軸とでなす角度のうち、記録媒体の搬送方向下流側における角度が９０°を超えるように傾斜された傾斜面が形成されていない構成に比べて、検知手段の誤検知を防止することができる。
【０００９】
請求項２に記載の発明によれば、傾斜面が、底壁の長手方向略中央部に形成されていない構成に比べて、除去された現像剤がこぼれやすい位置から離れた位置に検知手段を配置することができる。
【００１０】
請求項３に記載の発明によれば、転写部材の表面を清掃する清掃部材の捲れを防止する潤滑剤が傾斜面に付着しても、検知手段の誤検知を防止することができる。
【図面の簡単な説明】
【００１１】
【図１】本実施形態に係る画像形成装置の全体構成を示す模式図
【図２】本実施形態に係る画像形成装置の二次転写位置付近の構成を示す模式図
【図３】本実施形態に係る画像形成装置の二次転写位置付近の構成を示す斜視断面図
【図４】本実施形態に係る画像形成装置の二次転写位置付近の構成を拡大して示す模式図
【発明を実施するための形態】
【００１２】
以下、本発明に係る実施の形態について図面を基に詳細に説明する。なお、図１において、矢印ＵＰを画像形成装置１０の上方向とし、矢印ＲＩを画像形成装置１０の右方向とする。そして、図１で示す紙面垂直方向手前側を画像形成装置１０の前側とし、正面とする。また、本実施形態では、記録媒体の一例として記録用紙Ｐを採用し、記録用紙Ｐの搬送方向上流側を単に「上流側」、搬送方向下流側を単に「下流側」と言うこととする。
【００１３】
図１で示すように、画像形成装置１０は、上下方向の下側から上側へ向けて、記録用紙Ｐが収容される用紙収容部１２と、用紙収容部１２の上側に設けられ、用紙収容部１２から供給される記録用紙Ｐに画像を形成する画像形成部１４と、画像形成部１４の上側に設けられ、原稿Ｇを読み取る原稿読取部１６と、画像形成部１４内に設けられ、画像形成装置１０の各部の動作を制御する制御部２０と、を含んで構成されている。
【００１４】
用紙収容部１２には、それぞれサイズの異なる記録用紙Ｐが収容される第１収容部２２、第２収容部２４、第３収容部２６が設けられている。第１収容部２２、第２収容部２４、第３収容部２６には、それぞれ収容された記録用紙Ｐを画像形成装置１０内の搬送路２８へ送り出す送出ロール３２が設けられている。そして、各送出ロール３２よりも下流側の搬送路２８には、記録用紙Ｐを１枚ずつ搬送する一対の搬送ロール３４、３６がそれぞれ設けられている。
【００１５】
更に、第３収容部２６の搬送ロール３６よりも下流側には、後述する反転搬送路２９から送られて来た記録用紙Ｐが搬送路２８に合流されて搬送されるように、一対の搬送ロール５０が設けられている。そして、その搬送ロール５０よりも下流側には、記録用紙Ｐを一旦停止させるとともに、予め決められたタイミングで後述する二次転写位置へ送り出す位置合わせロール３８が設けられている。
【００１６】
なお、画像形成装置１０の正面視において、搬送ロール５０を含む上流側の搬送路２８は、上下方向に直線状に形成されている。また、位置合わせロール３８を含む下流側の搬送路２８は、画像形成部１４の左側から右側、即ち装置本体１０Ａの右側面に設けられた排紙部１５まで略直線状に形成されている。更に、位置合わせロール３８を含む下流側の搬送路２８の下側には、記録用紙Ｐが反転されて搬送される反転搬送路２９が設けられている。
【００１７】
反転搬送路２９には、搬送路２８から反転搬送路２９へ記録用紙Ｐを案内する第１案内部材３１と、画像形成部１４の右側下部から用紙収容部１２の右側下部まで上下方向に直線状に設けられた反転部３０と、反転部３０に搬送された記録用紙Ｐを反転部３０から後述する搬送部３７へ案内する第２案内部材３５と、第２案内部材３５によって案内された記録用紙Ｐを搬送する搬送部３７と、を有している。
【００１８】
なお、この搬送部３７の下流側は、第３収容部２６の搬送ロール３６と搬送ロール５０との間における搬送路２８に合流されるようになっている。そして、反転部３０には、一対の搬送ロール４２が予め決められた間隔を隔てて複数箇所に設けられており、搬送部３７には、一対の搬送ロール４４が予め決められた間隔を隔てて複数箇所に設けられている。
【００１９】
第１案内部材３１は、正面視略三角柱状とされており、図示しない駆動手段によって先端部が搬送路２８又は反転搬送路２９の何れか一方に移動されることで、記録用紙Ｐを搬送路２８又は反転搬送路２９へ案内するようになっている。同様に、第２案内部材３５も、正面視略三角柱状とされており、図示しない駆動手段によって先端部が反転部３０又は搬送部３７の何れか一方に移動されることで、記録用紙Ｐを反転部３０又は搬送部３７へ案内するようになっている。
【００２０】
また、装置本体１０Ａの左側面には、折り畳み式の手差給紙部４６が設けられている。手差給紙部４６から供給された記録用紙Ｐは、搬送ロール４８によって搬送され、搬送ロール５０よりも下流側で、かつ位置合わせロール３８よりも上流側の搬送路２８に合流されるようになっている。
【００２１】
原稿読取部１６は、原稿Ｇを１枚ずつ自動で搬送する原稿搬送装置５２と、原稿搬送装置５２の下側に配置され、１枚の原稿Ｇが載せられるプラテンガラス５４と、原稿搬送装置５２によって搬送された原稿Ｇ又はプラテンガラス５４に載せられた原稿Ｇを読み取る原稿読取装置５６と、を有している。
【００２２】
原稿搬送装置５２は、一対の搬送ロール５８が複数配置された自動搬送路５５を有しており、自動搬送路５５の一部は、記録用紙Ｐがプラテンガラス５４上を通るように配置されている。また、原稿読取装置５６は、プラテンガラス５４の左端部に静止した状態で原稿搬送装置５２によって搬送された原稿Ｇを読み取るか、又は右方向に移動しながらプラテンガラス５４に載せられた原稿Ｇを読み取るようになっている。
【００２３】
画像形成部１４は、装置本体１０Ａの略中央に、装置本体１０Ａの手前側から奥側に向かう方向が軸方向とされて配置された円筒状の感光体６２を有している。この感光体６２は、図示しない駆動手段によって矢印Ｒ方向（図示の時計回り方向）に回転駆動されるとともに、光照射によって形成される静電潜像を保持するようになっている。また、感光体６２の上方で、かつ感光体６２の表面（外周面）と対向する位置には、感光体６２の表面を帯電するコロトロン方式の帯電部材６４が設けられている。
【００２４】
帯電部材６４よりも感光体６２の回転方向下流側で、かつ感光体６２の表面と対向する位置には、露光装置６６が設けられている。露光装置６６は、ＬＥＤ（Ｌｉｇｈｔ  Ｅｍｉｔｔｉｎｇ  Ｄｉｏｄｅ）で構成されており、帯電部材６４によって帯電した感光体６２の表面に、各トナー色に対応した画像信号に基づいて光を照射（露光）し、静電潜像を形成するようになっている。
【００２５】
なお、露光装置６６はＬＥＤ方式に限らず、例えば、レーザー光をポリゴンミラーで走査するものであってもよい。また、露光装置６６によって光が照射される部位よりも感光体６２の回転方向下流側には、感光体６２の表面に形成された静電潜像を、予め決められた各色のトナーで現像して可視化させる回転切替方式の現像装置７０が設けられている。
【００２６】
この現像装置７０は、イエロー（Ｙ）、マゼンタ（Ｍ）、シアン（Ｃ）、ブラック（Ｋ）、第１特別色（Ｅ）、第２特別色（Ｆ）の各トナー色にそれぞれ対応する現像器（図示省略）を有している。各現像器は、周方向に並んで配置されており、回転駆動源であるモーター（図示省略）によって中心角で６０°ずつ回転することで切り替えられ、感光体６２の表面と対向するようになっている。
【００２７】
なお、第１特別色（Ｅ）及び第２特別色（Ｆ）とは、例えばイエロー（Ｙ）、マゼンタ（Ｍ）、シアン（Ｃ）、ブラック（Ｋ）以外の特別色（透明を含む）から選択される色であり、第１特別色（Ｅ）及び第２特別色（Ｆ）を使用する場合には、Ｙ、Ｍ、Ｃ、Ｋ、Ｅ、Ｆの６色で画像が形成されるようになっている。また、Ｙ、Ｍ、Ｃ、Ｋの４色と第１特別色（Ｅ）又は第２特別色（Ｆ）の５色で画像を形成するようにしてもよいし、第１特別色（Ｅ）及び第２特別色（Ｆ）を除く４色で画像を形成するようにしてもよい。
【００２８】
現像装置７０よりも感光体６２の回転方向下流側で、かつ感光体６２の下側には、感光体６２の表面に形成されたトナー画像が一次転写される像保持体の一例としての中間転写体６０が設けられている。中間転写体６０は、矢印Ａ方向（図示の反時計回り方向）に周回移動する無端状の中間転写ベルト６８を有している。
【００２９】
この中間転写ベルト６８は、制御部２０により回転駆動される駆動ロール６１、中間転写ベルト６８に張力を付与するための張力付与ロール６３、中間転写ベルト６８の裏面（内周面）に接触して従動回転する複数の搬送ロール６５、後述する二次転写位置において中間転写ベルト６８の裏面に接触して従動回転する補助ロール６９に巻き掛けられている。
【００３０】
また、中間転写ベルト６８を挟んで感光体６２の反対側には、感光体６２の表面に形成されたトナー画像を中間転写ベルト６８の表面（外周面）に一次転写させるための一次転写ロール６７が設けられている。
【００３１】
この一次転写ロール６７は、感光体６２と中間転写ベルト６８とが接触する位置から中間転写ベルト６８の移動方向下流側に離れた位置で、中間転写ベルト６８の裏面に接触している。そして、一次転写ロール６７は、図示しない電源から通電されることにより、接地されている感光体６２との電位差で、感光体６２のトナー画像を中間転写ベルト６８の表面に一次転写するようになっている。
【００３２】
また、一次転写ロール６７よりも感光体６２の回転方向下流側には、中間転写ベルト６８の表面に一次転写されずに、感光体６２の表面に残留している残留トナー等を除去するクリーニング装置７４が設けられている。
【００３３】
クリーニング装置７４は、感光体６２の表面に接触するクリーニングブレード及びブラシロールにより、残留トナー等を回収する構成となっている。また、クリーニング装置７４よりも感光体６２の回転方向上流側（一次転写ロール６７よりも下流側）には、感光体６２の表面に光を照射して除電を行う除電装置７６が設けられている。
【００３４】
この除電装置７６は、クリーニング装置７４による残留トナー等の回収前に感光体６２の表面に光を照射して除電することで、感光体６２の表面に対する、残留トナー等の静電気による付着力を低減し、その残留トナー等の回収率を高めるようにしている。なお、クリーニング装置７４よりも感光体６２の回転方向下流側で、かつ帯電部材６４よりも上流側に、残留トナー等を回収した後の感光体６２の表面に対する除電装置を設けてもよい。
【００３５】
また、中間転写ベルト６８の周囲で張力付与ロール６３と対向する位置には、中間転写ベルト６８の表面に付されたマーク（図示省略）を検知することで、中間転写ベルト６８の表面の予め定めた基準位置を検出し、画像形成処理の開始タイミングの基準となる位置検出信号を出力する位置検出センサー８３が設けられている。
【００３６】
また、中間転写ベルト６８を挟んで補助ロール６９の反対側には、中間転写ベルト６８の表面に一次転写されたトナー画像を記録用紙Ｐに二次転写させる転写部材の一例としての二次転写ロール７２が設けられている。この二次転写ロール７２は、図示しないリトラクト機構により、中間転写ベルト６８の表面に対して接離（接触、離隔）可能に構成されている。
【００３７】
すなわち、この二次転写ロール７２は、中間転写ベルト６８の表面に各色が一次転写されるまで、その表面から離隔されるようになっており、中間転写ベルト６８の表面に各色が一次転写されたら、その表面に接触し、図示しない電源から通電されることにより、接地されている補助ロール６９との電位差で、中間転写ベルト６８の表面のトナー画像を記録用紙Ｐに二次転写するようになっている。なお、この二次転写ロール７２と補助ロール６９との間が記録用紙Ｐへトナー画像を転写する二次転写位置である。
【００３８】
また、図２、図３で示すように、二次転写ロール７２の下部には、後述するクリーニングブレード８８の捲れを防止するために、二次転写ロール７２に対して潤滑剤を供給する供給手段の一例としてのブラシロール９２が互いに接触した状態で回転可能に配置されている。そして、ブラシロール９２の下部には、潤滑剤を保持した保持部材９４が、ブラシロール９２に接触するように配置されている。
【００３９】
なお、クリーニングブレード８８の捲れを防止するために使用される潤滑剤は、例えばステアリン酸亜鉛であり、保持部材９４は、二次転写ロール７２及びブラシロール９２の回転軸方向が長手方向とされた棒状に形成されている。また、二次転写ロール７２及びブラシロール９２は、筐体の一例としてのハウジング９０に回転可能に支持されており、保持部材９４もハウジング９０に支持されている。
【００４０】
また、二次転写ロール７２の表面（外周面）を清掃する清掃部材の一例としてのクリーニングブレード８８が、二次転写ロール７２の表面に対して、その先端を接触させた状態で配置されている。すなわち、このクリーニングブレード８８は、二次転写ロール７２の軸方向が長手方向とされた平面視矩形状の樹脂製の板材であり、その先端が二次転写ロール７２の表面に対して予め決められた角度に傾斜配置されるように、ハウジング９０に支持された支持部材８６に取り付けられている。
【００４１】
また、二次転写ロール７２及びブラシロール９２よりも下流側におけるハウジング９０の側壁９０Ａには、搬送路２８を搬送されて来た記録用紙Ｐの有無に基づくジャム（紙詰まり）を検知するための検知手段の一例としての光反射式のジャム検知センサー９６が、保持部材９８を介して、予め決められた角度に傾斜配置されている。
【００４２】
すなわち、このジャム検知センサー９６は、その光軸９６Ａを、搬送路２８を搬送されて来る記録用紙Ｐに対して略直交させるように、予め決められた角度に傾斜配置されている。なお、このジャム検知センサー９６は、後述するクリーニング装置１００の筐体１０２における底壁１０３の下面に対向する構成である。
【００４３】
また、このジャム検知センサー９６は、側壁９０Ａ（ハウジング９０）の長手方向（二次転写ロール７２の軸方向）略中央部に配置されており、本実施形態に係る画像形成装置１０は、所謂センターレジとされている。これにより、記録用紙Ｐのサイズが異なってもジャムを検知可能となる構成である。
【００４４】
また、図２、図３で示すように、中間転写ベルト６８を挟んで駆動ロール６１の反対側（二次転写位置よりも下流側で、かつ搬送路２８よりも上方側）には、二次転写後に、記録用紙Ｐに転写されずに中間転写ベルト６８の表面に残留している残留トナーを除去して回収するクリーニング装置１００が、中間転写ベルト６８に対して接離（接触、離隔）可能に設けられている。
【００４５】
このクリーニング装置１００は、樹脂製の筐体１０２を有しており、中間転写ベルト６８の幅方向（回転軸方向）が、筐体１０２の長手方向となっている。そして、この筐体１０２には、中間転写ベルト６８と対向配置される矩形状の開口部１０４が形成されており、筐体１０２の底壁１０３が、後述するクリーニングブレード１０６によって中間転写ベルト６８の表面から掻き取った残留トナーを貯留するキャッチパンとなっている。
【００４６】
筐体１０２の開口部１０４の上部側には、中間転写ベルト６８を挟んで駆動ロール６１と対向し、中間転写ベルト６８の表面に接触して、その表面に残留している残留トナーを掻き取り除去する除去部材の一例としてのクリーニングブレード１０６が設けられている。このクリーニングブレード１０６は、平面視で矩形状とされた樹脂製の板材であり、長手方向が開口部１０４の長手方向に沿うように、筐体１０２に回転可能に設けられた支持板１１０に取り付けられている。
【００４７】
また、筐体１０２の開口部１０４の下部側には、中間転写ベルト６８の表面に接触して、筐体１０２と中間転写ベルト６８との隙間を密閉するシール部材１０８が設けられている。このシール部材１０８は、平面視で矩形状とされた透明なフィルム材であり、長手方向が開口部１０４の長手方向に沿うように、筐体１０２に回転可能に設けられた支持板１１１に取り付けられている。
【００４８】
更に、このクリーニング装置１００は、クリーニングブレード１０６及びシール部材１０８を中間転写ベルト６８の表面から離隔させる離隔位置に移動したときに、クリーニングブレード１０６及びシール部材１０８等に付着している残留トナー等を筐体１０２内へ吸引する吸引ユニット（図示省略）を有しており、筐体１０２内には、残留トナーを含む塵埃を捕捉する繊維の集合体であるフィルター１１２が設けられている。
【００４９】
また、このクリーニング装置１００は、クリーニングブレード１０６及びシール部材１０８を中間転写ベルト６８の表面に接触させる接触位置に移動したときに、そのクリーニングブレード１０６で掻き取られ、筐体１０２の底壁１０３上に貯留された残留トナーを、その底壁１０３の長手方向一端部側へ送って排出する排出手段の一例としてのスクリューオーガ１１４を有している。
【００５０】
また、図４で示すように、筐体１０２の底壁１０３の一部、即ち底壁１０３の下面における長手方向略中央部には、底面視略矩形状で、かつ正断面視略三角形状の凹部１０５が形成されている。そして、この凹部１０５の下方を向く面が、正断面視で（二次転写ロール７２の軸方向から見て）、ジャム検知センサー９６の光軸９６Ａとでなす角度のうち、下流側における角度θが９０°を超えるように傾斜された傾斜面１０５Ａになっている。
【００５１】
これにより、二次転写位置よりも下流側で、後述する定着装置８０よりも上流側の搬送路２８を記録用紙Ｐが搬送されていないときにおいて、ジャム検知センサー９６から出射された光が傾斜面１０５Ａで反射されても、その反射光がジャム検知センサー９６で受光されない（誤検知が防止される）構成である。
【００５２】
また、図１で示すように、二次転写位置よりも下流側には、二次転写ロール７２によってトナー画像が転写された記録用紙Ｐに、そのトナー画像を定着させる定着装置８０が設けられている。定着装置８０は、通電により発熱する熱源を有するとともに、記録用紙Ｐのトナー画像面側（上側）に配置される加熱ロール８２と、加熱ロール８２の下側に配置され、記録用紙Ｐを加熱ロール８２の外周面に向けて加圧する加圧ロール８４とで構成されている。
【００５３】
なお、定着装置８０の下流側には、排紙部１５又は反転部３０へ向けて記録用紙Ｐを搬送する搬送ロール４０が設けられている。また、原稿読取装置５６の下側で現像装置７０よりも上側には、イエロー（Ｙ）、マゼンタ（Ｍ）、シアン（Ｃ）、ブラック（Ｋ）、第１特別色（Ｅ）、第２特別色（Ｆ）の各トナーを収容するトナーカートリッジ７８Ｙ、７８Ｍ、７８Ｃ、７８Ｋ、７８Ｅ、７８Ｆが水平方向に並んで交換可能に設けられている。
【００５４】
以上のような構成の画像形成装置１０において、次にその作用について説明する。画像形成装置１０が作動すると、画像処理装置（図示省略）又は外部から、イエロー（Ｙ）、マゼンタ（Ｍ）、シアン（Ｃ）、ブラック（Ｋ）、第１特別色（Ｅ）、第２特別色（Ｆ）の各色の画像データが露光装置６６に順次出力される。
【００５５】
このとき、現像装置７０は、１つ（イエロー）の現像器が感光体６２の表面（外周面）と対向するように回転して保持されている。また、クリーニング装置１００のクリーニングブレード１０６及びシール部材１０８と、二次転写ロール７２は、各色のトナー画像が中間転写ベルト６８の表面（外周面）に多重（一次）転写されるまで、それぞれ図示しないリトラクト機構の動作によって、中間転写ベルト６８の表面から離隔されている。
【００５６】
そして、露光装置６６から画像データに応じて出射された光は、帯電部材６４により帯電された感光体６２の表面を露光し、感光体６２の表面にはイエローの画像データに対応した静電潜像が形成される。更に、感光体６２の表面に形成された静電潜像は、イエローの現像器によってイエローのトナー画像として現像される。そして、感光体６２の表面のイエローのトナー画像は、一次転写ロール６７によって中間転写ベルト６８に転写される。
【００５７】
続いて、現像装置７０が、図１で示す矢印方向に６０°回転され、マゼンタの現像器が感光体６２の表面と対向する。そして、帯電、露光、現像の各工程が行われ、感光体６２の表面のマゼンタのトナー画像は、一次転写ロール６７によって中間転写ベルト６８のイエローのトナー画像上に転写される。同様にして、シアン（Ｃ）、ブラック（Ｋ）、更に色設定に応じて、第１特別色（Ｅ）、第２特別色（Ｆ）のトナー画像が中間転写ベルト６８上に順次多重転写される。
【００５８】
一方、用紙収容部１２から送り出され、搬送路２８を搬送されて来た記録用紙Ｐは、位置合わせロール３８により、中間転写ベルト６８への各トナー画像の多重転写とタイミングを合わせて二次転写位置に搬送される。そして、中間転写ベルト６８上に多重転写されたトナー画像は、二次転写位置に搬送されて来た記録用紙Ｐ上に、補助ロール６９と、図示しないリトラクト機構の動作によって中間転写ベルト６８の表面に接触させられた二次転写ロール７２とによって二次転写される。
【００５９】
なお、二次転写開始後、クリーニング装置１００のクリーニングブレード１０６及びシール部材１０８は、図示しないリトラクト機構の動作によって中間転写ベルト６８の表面と接触する。そして、記録用紙Ｐに転写されずに中間転写ベルト６８の表面に残留している残留トナーがクリーニングブレード１０６で掻き取られて除去され、筐体１０２内に回収される。
【００６０】
筐体１０２内に回収された残留トナーは、筐体１０２の底壁１０３上に貯留され、スクリューオーガ１１４によって長手方向一端部側から排出される。また、二次転写位置においてトナー画像が転写された記録用紙Ｐは、定着装置８０に向けて搬送される。このとき、二次転写位置よりも下流側で、定着装置８０よりも上流側における搬送路２８中に記録用紙Ｐのジャム（紙詰まり）が発生しているか否かが、ジャム検知センサー９６によって検知される。
【００６１】
すなわち、ジャム検知センサー９６の光軸９６Ａは、上記搬送路２８を搬送されて来る記録用紙Ｐに対して略直交するような角度に傾斜しているので、ジャム検知センサー９６から出射された光は記録用紙Ｐで反射され、そのジャム検知センサー９６で受光される。そして、その記録用紙Ｐで反射された反射光をジャム検知センサー９６で受光する時間が、予め決められた時間未満であれば、ジャムが発生していないと制御部２０が判断し、予め決められた時間以上であれば、ジャムが発生していると制御部２０が判断して、図示しない操作パネル等により、ユーザーに報知する。
【００６２】
また、二次転写位置よりも下流側における搬送路２８中に記録用紙Ｐが存在していない場合には、ジャム検知センサー９６から出射した光は、クリーニング装置１００の筐体１０２の底壁１０３に形成された凹部１０５の傾斜面１０５Ａに照射される。ここで、この傾斜面１０５Ａは、二次転写ロール７２の軸方向から見て、ジャム検知センサー９６の光軸９６Ａとでなす下流側における角度θが９０°を超えるように（下流側で、かつ下方を向くように）傾斜されている。そのため、この傾斜面１０５Ａで反射された反射光は、ジャム検知センサー９６で受光されることがない。
【００６３】
すなわち、二次転写ロール７２に供給される潤滑剤（ステアリン酸亜鉛）や記録用紙Ｐから発生する紙粉は白色である。したがって、潤滑剤が過多になって飛散したり、紙粉が飛散して、筐体１０２の底壁１０３に静電吸着等によって付着すると、凹部１０５（傾斜面１０５Ａ）が形成されていない比較例では、ジャム検知センサー９６から出射された光が、その潤滑剤や紙粉（白色化された底壁１０３）によって反射され、ジャム検知センサー９６で受光されるおそれがある。この場合、記録用紙Ｐが存在していないにも拘わらず、搬送路２８中にジャムが発生していると誤検知してしまうことになる。
【００６４】
しかしながら、本実施形態では、ジャム検知センサー９６から出射された光が当たる（照射される）、底壁１０３の一部には、二次転写ロール７２の軸方向から見て、光軸９６Ａに対して下流側が角度θ（θ＞９０°）となるように傾斜した傾斜面１０５Ａを有する凹部１０５が形成されているので、飛散した潤滑剤や紙粉等が凹部１０５内の傾斜面１０５Ａに付着していても、その傾斜面１０５Ａで反射された反射光がジャム検知センサー９６によって受光されることがない。
【００６５】
したがって、二次転写位置よりも下流側で、定着装置８０よりも上流側における搬送路２８中に記録用紙Ｐが存在していないときに、ジャム（紙詰まり）が発生していると誤検知してしまうような不具合は起きない（ジャム検知センサー９６による誤検知が防止される）。しかも、このように、クリーニング装置１００の筐体１０２における底壁１０３の一部の形状を変更する（傾斜面１０５Ａを備えた凹部１０５を形成する）だけでよいので、誤検知防止のために複雑な機構等を設ける構成に比べて、製造コストも安価で済む。
【００６６】
なお、ジャム検知センサー９６の誤検知防止のために、底壁１０３の一部に貫通孔を形成することも考えられるが、この筐体１０２の底壁１０３は、クリーニングブレード１０６で掻き取った残留トナーや、中間転写ベルト６８からクリーニング装置１００を離隔させたときに、クリーニングブレード１０６及びシール部材１０８に付着していて、こぼれ落ちた残留トナーを貯留させるキャッチパンになっているため、貫通孔を形成することができない。
【００６７】
つまり、ジャム検知センサー９６の誤検知防止のために、底壁１０３の一部に貫通孔が形成されていると、その貫通孔から残留トナーがこぼれ落ち、ジャム検知センサー９６や装置本体１０Ａ内が、その残留トナーで汚染されてしまう不具合がある。したがって、上記したように、底壁１０３には凹部１０５を形成し、ジャム検知センサー９６の誤検知を防止するようにしている。
【００６８】
また、その凹部１０５は、底壁１０３の長手方向全体ではなく、底壁１０３の一部分のみ、即ちジャム検知センサー９６から出射された光が照射される部位である長手方向略中央部のみに形成されている。したがって、特にクリーニングブレード１０６及びシール部材１０８の長手方向両端部に形成される隙間からこぼれ落ちやすい残留トナーが貯留される部位である、底壁１０３の長手方向両端部側の貯留容量が確保される（低減されない）。
【００６９】
また、その底壁１０３の長手方向両端部側からは、貯留した残留トナーがこぼれ落ちる可能性もある。しかしながら、ジャム検知センサー９６は、底壁１０３の長手方向略中央部に対向配置されているので、底壁１０３の長手方向両端部側からこぼれ落ちた残留トナーによって、汚染されるおそれはない。
【００７０】
つまり、残留トナーを貯留するキャッチパンとしての底壁１０３の貯留容量の確保及びジャム検知センサー９６の汚染防止の観点からも、凹部１０５は、底壁１０３の長手方向略中央部に形成することが望ましい（ジャム検知センサー９６は、底壁１０３の長手方向略中央部に対向配置することが望ましい）。
【００７１】
さて、定着装置８０に搬送された記録用紙Ｐは、加熱ロール８２及び加圧ロール８４によって加熱、加圧されることで、表面に転写されたトナー画像が定着される。そして、トナー画像が定着された記録用紙Ｐは、搬送ロール４０によって排紙部１５に排出される。
【００７２】
なお、記録用紙Ｐの裏面にも画像を形成する場合には、定着装置８０によって表面の画像定着を行った後、記録用紙Ｐを反転部３０に送り込むことで、記録用紙Ｐの先端と後端を入れ替える。そして、記録用紙Ｐを反転搬送路２９によって矢印Ｂ方向（図１参照）に搬送し、更に搬送路２８に送り込んで、記録用紙Ｐの裏面の画像形成及び定着を上記と同様にして行う。
【００７３】
また、記録用紙Ｐの裏面に画像形成するために、リトラクト機構の動作により、クリーニング装置１００のクリーニングブレード１０６及びシール部材１０８を中間転写ベルト６８の表面から離隔させたときには、図示しない吸引ユニットを作動させる。これにより、クリーニングブレード１０６及びシール部材１０８に付着していた残留トナー等が、フィルター１１２に向かい、そのフィルター１１２で捕捉されるか、又は底壁１０３上に落下して貯留される。
【００７４】
以上、本実施形態に係る画像形成装置１０について、図面に示す実施例を基に説明したが、本実施形態に係る画像形成装置１０は、図示の実施例に限定されるものではない。例えば、凹部１０５における傾斜面１０５Ａの光軸９６Ａに対する下流側の角度θは、図示の角度に限定されず、傾斜面１０５Ａで反射された反射光がジャム検知センサー９６で受光されないような角度θに形成されていればよい。
【符号の説明】
【００７５】
１０  画像形成装置
６０  中間転写体（像保持体の一例）
６８  中間転写ベルト
７２  二次転写ロール（転写部材の一例）
８８  クリーニングブレード（清掃部材の一例）
９２  ブラシロール（供給手段の一例）
９４  保持部材
９６  ジャム検知センサー（検知手段の一例）
９６Ａ  光軸
１００  クリーニング装置
１０２  筐体
１０３  底壁
１０５  凹部
１０５Ａ  傾斜面
１０６  クリーニングブレード（除去部材の一例）
１０８  シール部材
Ｐ  記録用紙（記録媒体の一例）
【図１】
2012008336.tif 000003
【図２】
2012008336.tif 000004
【図３】
2012008336.tif 000005
【図４】
2012008336.tif 000006